(57)【要約】【課題】車椅子使用者が介護人の労力を少なくし、また、単独でも軽便に、狭いトイレの便座に乗り移れるようにする。【解決手段】トイレ５内に設けた手すり６に沿って奥行き方向へ移動可能、かつ、手すり６の軸中心で回転可能なブラケット８，８に一方の側端部が固定支持され、他方の側端部に折り畳み可能なキャスター付き脚部１０を有して便座１５の高さとほぼ同じ高さで水平移動可能、かつ、垂直方向へ回転可能な座板９を設けた。【選択図】  図１
2004248935.tif 000002
【特許請求の範囲】
【請求項１】
トイレ内に設けた手すりに沿って奥行き方向へ移動可能、かつ、手すりの軸中心で回転可能なブラケットに一方の側端部が固定支持され、他方の側端部に折り畳み可能なキャスター付き脚部を有して便座の高さとほぼ同じ高さで水平移動可能、かつ、垂直方向へ回転可能な座板を設けたことを特徴とするトイレ用ローリングチェア。
【請求項２】
前記座板がトイレの入り口から外の廊下側へ所要の寸法で張り出すことができるように、前記手すりの長さが伸縮調節可能なことを特徴とする請求項１記載のトイレ用ローリングチェア。
【発明の詳細な説明】
【０００１】
【発明の属する技術分野】
この発明は車椅子の使用者が単独でも軽便に、便座に乗り移れるようにすることを目的として開発したトイレ用ローリングチェアに関する。
【０００２】
【従来の技術】
車椅子の使用者が家庭内でトイレを使用するときには、様々の障害に遭遇する。すなわち、まず第１に、いわゆるバリアフリーの問題であり、トイレの床面と、トイレにアプローチするための廊下等の床面との段差があるときは、トイレがいかに広くて車椅子がトイレ内に進入できる場合でも、トイレを使用することは不可能となる。
【０００３】
第２に、家庭用トイレは、改造していない限り、一般的に狭くて車椅子が入らないこと、とりわけ、集合住宅の場合は極めて合理化された設計により、トイレの入り口へのアプローチもままならないことが多い。
【０００４】
第３に、車椅子から便座に乗り移る動作は、介護人なしには実行不可能な場合が多いことである。すなわち、トイレの入り口の外側から中腰で立ち上がり気味にして体を伸ばし、トイレ内の手すりを捕まえながら、体をずらせて便座に向かう運動は、並大抵の労苦に尽きるものではない。
【０００５】
第４に、介護人は車椅子使用者の体重を十分に支え切れないことがあるほか、その労苦負担が並大抵ではないことが多い。
【０００６】
【発明が解決しようとする課題】
そこで、この発明は、車椅子使用者が介護人なく、単独でも軽便に、狭いトイレの便座に乗り移れるようにすることを目的としている。また、介護人の助けを必要とする場合でも、出来るだけその労力を軽減することを目的としている。そのために、狭いトイレ内でも通常的に設置できる手すりに着目する。
【０００７】
この目的達成のために、トイレの床面とトイレにアプローチするための廊下等の床面との段差が存しないこと、すなわち、バリアフリーであることを前提とする。
【０００８】
【課題を解決するための手段】
すなわち、前記課題を解決するため、本発明は、トイレ内に設けた手すりに沿って奥行き方向へ移動可能、かつ、手すりの軸中心で回転可能なブラケットに一方の側端部が固定支持され、他方の側端部に折り畳み可能なキャスター付き脚部を有して便座の高さとほぼ同じ高さで水平移動可能、かつ、垂直方向へ回転可能な座板を設けたことを特徴とする。
【０００９】
つまり、車椅子からまず初めに座板に乗り移り、ついで、その座板を便器側へ移動させた後、その座板から便座に乗り移るという動作をもたらすことによって、車椅子から便座までの移動を、労力負担の軽い運動に分割することで、車椅子使用者の労苦の軽減を図るものである。
【００１０】
【発明の実施の形態】
この発明の実施の第１形態を図１及び図２に基づき説明する。３方の壁１，２，３にて囲まれ、入り口にはドア４が設けられた、車椅子が入れないトイレ５は、その壁１に沿って入り口付近から奥行き方向へ水平な手すり６が設けられている。壁３には補助の手すり７が任意で設けれらている。なお、手すり６はその両端部が壁１に支持されて水平に固定しているもので、その中間部には何等の補強等の支持がなされていないものとする。
【００１１】
手すり６にはブラケット８，８が嵌合し、このブラケット８に座板９の一方の側端部が固定支持されている。座板８はトイレ５の入り口幅寸法Ｗの約半分から３分の２位の幅寸法ｗを有し、その長さＬは使用者（人）の腰幅寸法、若しくは腰幅寸法よりもやや大きく設定する。したがって、座板９の側部と壁３との間には、使用者の脚足を進入できて便器１６にアプローチできる空間部Ｓが形成されるようにしてある。
【００１２】
図２に示すように、ブラケット８は手すり６に外嵌合する管体又は筒体であって、その外周面に連結板８ａが直交して溶接等にて連結されている。したがって、ブラケット８は手すり６に沿ってその長手方向へａ又はｂ寸法にて移動できる。また、ブラケット８は手すり６の軸中心で回転可能であるから、座板９は水平位置と垂直位置に変化させることが可能である。なお、座板９は基本的に方形板であり、その奥側の端部は便座１５の前端部の平面形状に沿って湾曲してえぐられてあり、その湾曲部９ａが便座１５に接触することができる。
【００１３】
座板９の下面には他方の側端部付近でキャスター付き脚部１０が設けられている。キャスター付き脚部１０は、座板９側に固定する基部１１とその基部１１にピン１２で回転可能に枢軸着された脚部１３と、脚部１３の下部に連結されたキャスター１４とからなる。このキャスター付き脚部１０と前記ブラケット８は座板９を便座１５とほぼ同じ高さに維持することを目的とする。したがって、手すり６も便座１５とほぼ同じ高さに位置することが肝要である。
【００１４】
このキャスター付き脚部１０は、座板９を水平位置に保持して所要の体重を支える一方、座板９を垂直位置保持した場合には折り畳んで壁１側にコンパクトに収納できる。そのため、好ましくはキャスター付き脚部１０は座板９の下面に４基を設けるのが良いが、座板９の一方の側端部はブラケット８，８に連結されているので支持力があるため、他方の側端部下面にのみ２基又は１基設ければ足りる。
【００１５】
また、キャスター付き脚部１０は折り畳み構造とするために、体重が負荷している間に脚部１３が不用意に屈折したりしないような構造をもたせる事が肝要である。そのための構造的特徴はとりわけ図示しないが、公知の家具等における折り畳み脚構造でも足りることである。
【００１６】
したがって、図１に示すように、座板９は手すり６の両端部間でスライド可能なブラケット８，８、及び、キャスター付き脚部１０，１０により、便座１５に向けて進退できる。とりわけ、座板９は、水平位置にあるときは、その湾曲部が便座１５に接触でき、かつ、トイレ５外の廊下１７側へ所要寸法で張り出させることもできる。座板９をドア４が移動する廊下１７側へ張り出させることによって、車椅子から座板９への乗り移り動作を楽にでき、労力が軽減される。
【００１７】
座板９を廊下１７側へ為るべく大きい寸法で張り出させることが望ましいので、そのために、図３に示すように、手すり６を伸縮可能にする。すなわち、手すり６のトイレ入り口側の端部を開口させ、図４及び図５に示すように、その内部に所要長さ寸法の管又は棒１８を挿入してそれが軸方向へスライド可能かつ同軸で回転可能に形成する。管又は棒１８には連結板１９，１９を直交して連結し、連結板１９，１９が貫通するスリット２０を手すり６の長手方向へ所要の長さにて形成する。そして、座板９を折り畳むべき位置におけるスリット２０には手すり６の円周方向へ切欠部２１を形成する。その他の構成は前記実施の形態と同じ仕様に作成される。
【００１８】
したがって、図４及び図５に示すように、座板９は水平位置ではスリット２０に沿って手すり６の長手方向へａ又はｂ’寸法にて前後移動できる一方、切欠部２１に連結板１９が落ちることによって座板９を折り畳み状態とすることができる。なお、座板９の水平移動時に連結板１９がこの切欠部２１に落ち込むことが有り得るが、連結板１９が切欠部２１に落ち込んでも座板９を上に持ち上げた状態でスライドさせれば切欠部２１から連結板１９が抜け出ることができる。
【００１９】
なお、図６に示すように、手すり６の内部に挿入した管又は棒１８に蝶番２２を連結し、その蝶番２２の一片をスリット２０の貫通させることで、前記切欠部２１を省略できる。さらには、図７に示すように、手すり６に断面Ｃ形に開いた所要長さの管状体２３を手すり６の軸方向へ嵌合し、この管状体２３に連結板２４を連結し、連結板２４に座板９を連結することとしてもよい。管状体２３の開かれた軸方向開溝２５は手すり６の壁１への支持部２６を通過できて手すり６の長さよりも大きく廊下側へ伸長させることができ、支持部２６が無いところでは回転することができる。
【００２０】
次に、上記実施の形態における用便のための作用を説明すると、車椅子使用者は、車椅子から座板９に乗り移り、次いで座板９を便座１５へと手すり６又は手すり７を用いて移動させ、座板９の湾曲部が便座１５の前端部に接触して止まると、腰を動かせて座板９から便座１５に乗り移るものである。その場合、乗り移った使用者の脚足は空間部Ｓ側に回しておくのがよい。
【００２１】
座板９から便座１５に乗り移った後、図２に示すようにキャスター付き脚部１０を折り畳んで座板９を使用者の用便時に邪魔にならないようにしておく。若しくは、空間部Ｓから座板９の湾曲部９ａと便座１５との間に、使用者の脚足が入れる隙間を形成しておくことにより、キャスター付き脚部１０を折り畳むことなく用便をすることも可能である。
【００２２】
用便後は、折り畳んだキャスター付き脚部１０を拡開して座板９を水平状態にし、若しくは、使用者の脚足を空間部Ｓ側に回して座板９を引き寄せ、便座１５から座板９に乗り移り、前記と逆の動作をして座板９をトイレの入り口付近に移動させた状態で座板９から車椅子に乗り移る。
【００２３】
車椅子に乗り移った後は、再びキャスター付き脚部１０を折り畳んで座板９を壁１側へ回転させて垂直に保持しておくことができる。この状態で、トイレ５の入り口付近に放置してもよいが、座板９を手すり６の最奥側へ引き込み収納してもよい。
【００２４】
【発明の効果】
かくして、車椅子使用者は、用便に際して廊下１７から座板９へ乗り移り、座板から便座１５に乗り移る行動をすることによって、介護人なくしても単独でトイレを軽便に利用することができる。
【図面の簡単な説明】
【図１】この発明にかかるローリングチェアの一部断面平面図である。
【図２】この発明にかかるローリングチェアの一部断面正面図である。
【図３】この発明の他の実施の形態におけるローリングチェアの一部断面平面図である。
【図４】この発明の他の実施の形態におけるローリングチェアの一部断面正面図である。
【図５】図４の一部省略側面図である。
【図６】図３の変形例を示すローリングチェアの一部断面正面図である。
【図７】図３の更に他の変形例を示すローリングチェアの一部断面正面図である。
【符号の説明】
１，２，３…壁
４…ドア
５…トイレ
６，７…手すり
８…ブラケット
９…座板
１０…キャスター付き脚部
１１…基部
１２…ピン
１３…脚部
１４…キャスター
１５…便座
１６…便器
１７…廊下
１８…管又は棒
１９…連結板
２０…スリット
２１…切欠部
２２…スリット
２３…管状体
２４…蝶番
２５…軸方向開溝
２６…支持部
【図１】
2004248935.tif 000003
【図２】
2004248935.tif 000004
【図３】
2004248935.tif 000005
【図４】
2004248935.tif 000006
【図５】
2004248935.tif 000007
【図６】
2004248935.tif 000008
【図７】
2004248935.tif 000009